(57)【要約】【課題】負荷の入力電圧を測定するための測定用配線を敷設しなくても、電力供給装置から負荷に対して適切な電力を供給することができる電力供給装置及び電力供給方法を提供する。【解決手段】負荷に接続する配線の直径と材質と長さとを入力する入力部１１と、単位抵抗値と負荷入力電圧最大設定値とを予め記憶する記憶部１４と、配線を介して負荷に出力する電流の電流値を計測する電流検出部１７と、負荷に出力する電圧の電圧値を計測する電圧検出部１６と、入力部１１に入力された直径と材質とに対応する単位抵抗値を記憶部１４から読み出し、その単位抵抗値を入力部１１に入力された長さと乗算することにより配線抵抗を算出し、配線抵抗を電圧検出部１６が計測した電圧値から減算した負荷の入力電圧値を算出する計算部１５と、入力電圧値が負荷入力電圧最大設定値となるように負荷に出力する電圧を制御する電圧変換部１２とを備える。【選択図】図１
2008015923.tif 000002
【特許請求の範囲】
【請求項１】
負荷に電力を供給する電力供給装置であって、
前記負荷に接続する配線の直径と材質と長さとを入力する入力手段と、
配線の直径と材質とに応じた単位長さあたりの抵抗値である単位抵抗値を予め記憶する単位抵抗値記憶手段と、
前記負荷が入力可能な最大の電圧値である負荷入力電圧最大設定値を予め記憶する負荷入力電圧最大設定値記憶手段と、
前記配線を介して前記負荷に出力する電流の電流値を計測する電流値計側手段と、
前記配線を介して前記負荷に出力する電圧の電圧値を計測する電圧値計測手段と、
前記入力手段に入力された直径と材質とに対応する単位抵抗値を前記単位抵抗値記憶手段から読み出し、その単位抵抗値を前記入力手段に入力された長さと乗算することにより前記配線の抵抗である配線抵抗を算出する配線抵抗値算出手段と、
前記配線抵抗と前記電流値を乗算した値を前記電圧計測手段が計測した電圧値から減算した値である前記負荷の入力電圧値を算出する負荷入力電圧値算出手段と、
前記負荷入力電圧値算出手段が算出する入力電圧値が、負荷入力電圧最大設定値記憶手段が記憶する負荷入力電圧最大設定値となるように前記負荷に出力する電圧を制御する電圧制御手段と、
を備えることを特徴とする電力供給装置。
【請求項２】
前記負荷入力電圧値算出手段は、前記配線抵抗と前記電流値を乗算した値を前記電圧計測手段が計測した電圧値から減算した値である負荷入力電圧値を自電力供給装置に接続される複数の負荷ごとに算出し、
前記電圧制御手段は、前記電圧値計測手段が計測する電圧値が、前記負荷入力電圧値算出手段が算出した複数の負荷ごとの負荷入力電圧値のうち最小の負荷入力電圧値となるように前記複数の負荷に出力する電圧を制御することを特徴とする請求項１に記載の電力供給装置。
【請求項３】
前記負荷入力電圧最大設定値記憶手段は前記負荷入力電圧最大設定値として、前記負荷の定格電圧の最大値を記憶することを特徴とする請求項１又は２に記載の電力供給装置。
【請求項４】
負荷に電力を供給する電力供給方法であって、
前記負荷に接続する配線の直径と材質と長さとを入力手段により入力する第１のステップと、
配線の直径と材質とに応じた単位長さあたりの抵抗値である単位抵抗値を予め単位抵抗値記憶手段に記憶する第２のステップと、
前記負荷が入力可能な最大の電圧値である負荷入力電圧最大設定値を予め負荷入力電圧最大設定値記憶手段に記憶する第３のステップと、
前記配線を介して前記負荷に出力する電流の電流値を電流値計側手段により計測する第４のステップと、
前記配線を介して前記負荷に出力する電圧の電圧値を電圧値計測手段により計測する第５のステップと、
前記入力手段により入力された直径と材質とに対応する単位抵抗値を前記単位抵抗値記憶手段から読み出し、その単位抵抗値を前記入力手段に入力された長さと乗算することにより前記配線の抵抗である配線抵抗を配線抵抗値算出手段により算出する第６のステップと、
前記配線抵抗と前記電流値を乗算した値を前記電圧計測手段が計測した電圧値から減算した値である負荷入力電圧値を負荷入力電圧値算出手段により算出する第７のステップと、
前記負荷入力電圧値算出手段が算出する入力電圧値が、負荷入力電圧最大設定値記憶手段が記憶する負荷入力電圧最大設定値となるように前記負荷に出力する電圧を制御する第８のステップと、
を実行することを特徴とする電力供給方法。
【発明の詳細な説明】
【技術分野】
【０００１】
本発明は、電力供給装置及び電力供給方法に関する。
【背景技術】
【０００２】
従来から、大きな電力を消費する負荷の入力電圧を制御する電力供給装置が知られている（特許文献１）。この電力供給装置では、負荷に対する電力供給用の配線の他に、負荷の入力電圧を測定するための測定用配線を敷設している。この測定用配線としては、細い配線が用いられる。
この電力供給装置は、測定用配線により測定した電圧値と、予め設定した電圧値とを比較し、測定用配線により測定した電圧値が、予め設定した電圧値となるように、電力供給装置の出力電圧を調整している。
【特許文献１】特開平９−３０５２４５号公報
【発明の開示】
【発明が解決しようとする課題】
【０００３】
しかしながら、従来の電力供給装置では、測定用配線を用いて負荷の入力電圧を測定しているため、測定用配線が断線等する可能性があるという問題がある。測定用配線が断線すると、電力供給装置から負荷に対して適切な電力を供給することができなくなるという問題がある。
また、従来の電力供給装置では、電力供給装置から負荷に対して電力を供給する前提として負荷の入力端に測定用配線を敷設する必要があり、管理者等の負担が大きいという問題がある。
【０００４】
本発明は、上記事情に鑑みてなされたものであり、その目的は、負荷の入力電圧を測定するための測定用配線を敷設しなくても、電力供給装置から負荷に対して適切な電力を供給することができる電力供給装置及び電力供給方法を提供することにある。
【課題を解決するための手段】
【０００５】
本発明は、上記課題を解決するためになされたもので、請求項１に記載の発明は、負荷に電力を供給する電力供給装置であって、前記負荷に接続する配線の直径と材質と長さとを入力する入力手段と、配線の直径と材質とに応じた単位長さあたりの抵抗値である単位抵抗値を予め記憶する単位抵抗値記憶手段と、前記負荷が入力可能な最大の電圧値である負荷入力電圧最大設定値を予め記憶する負荷入力電圧最大設定値記憶手段と、前記配線を介して前記負荷に出力する電流の電流値を計測する電流値計側手段と、前記配線を介して前記負荷に出力する電圧の電圧値を計測する電圧値計測手段と、前記入力手段に入力された直径と材質とに対応する単位抵抗値を前記単位抵抗値記憶手段から読み出し、その単位抵抗値を前記入力手段に入力された長さと乗算することにより前記配線の抵抗である配線抵抗を算出する配線抵抗値算出手段と、前記配線抵抗と前記電流値を乗算した値を前記電圧計測手段が計測した電圧値から減算した値である前記負荷の入力電圧値を算出する負荷入力電圧値算出手段と、前記負荷入力電圧値算出手段が算出する入力電圧値が、負荷入力電圧最大設定値記憶手段が記憶する負荷入力電圧最大設定値となるように前記負荷に出力する電圧を制御する電圧制御手段とを備えることを特徴とする電力供給装置である。
【０００６】
また、請求項２に記載の発明は、前記負荷入力電圧値算出手段は、前記配線抵抗と前記電流値を乗算した値を前記電圧計測手段が計測した電圧値から減算した値である負荷入力電圧値を自電力供給装置に接続される複数の負荷ごとに算出し、前記電圧制御手段は、前記電圧値計測手段が計測する電圧値が、前記負荷入力電圧値算出手段が算出した複数の負荷ごとの負荷入力電圧値のうち最小の負荷入力電圧値となるように前記複数の負荷に出力する電圧を制御することを特徴とする請求項１に記載の電力供給装置である。
【０００７】
また、請求項３に記載の発明は、前記負荷入力電圧最大設定値記憶手段は前記負荷入力電圧最大設定値として、前記負荷の定格電圧の最大値を記憶することを特徴とする請求項１又は２に記載の電力供給装置である。
【０００８】
また、請求項４に記載の発明は、負荷に電力を供給する電力供給方法であって、前記負荷に接続する配線の直径と材質と長さとを入力手段により入力する第１のステップと、配線の直径と材質とに応じた単位長さあたりの抵抗値である単位抵抗値を予め単位抵抗値記憶手段に記憶する第２のステップと、前記負荷が入力可能な最大の電圧値である負荷入力電圧最大設定値を予め負荷入力電圧最大設定値記憶手段に記憶する第３のステップと、前記配線を介して前記負荷に出力する電流の電流値を電流値計側手段により計測する第４のステップと、前記配線を介して前記負荷に出力する電圧の電圧値を電圧値計測手段により計測する第５のステップと、前記入力手段により入力された直径と材質とに対応する単位抵抗値を前記単位抵抗値記憶手段から読み出し、その単位抵抗値を前記入力手段に入力された長さと乗算することにより前記配線の抵抗である配線抵抗を配線抵抗値算出手段により算出する第６のステップと、前記配線抵抗と前記電流値を乗算した値を前記電圧計測手段が計測した電圧値から減算した値である負荷入力電圧値を負荷入力電圧値算出手段により算出する第７のステップと、前記負荷入力電圧値算出手段が算出する入力電圧値が、負荷入力電圧最大設定値記憶手段が記憶する負荷入力電圧最大設定値となるように前記負荷に出力する電圧を制御する第８のステップとを実行することを特徴とする電力供給方法である。
【発明の効果】
【０００９】
本発明では、負荷に接続する配線の直径と材質と長さとを入力手段により入力し、単位抵抗値を予め単位抵抗値記憶手段に記憶し、負荷入力電圧最大設定値を予め負荷入力電圧最大設定値記憶手段に記憶し、配線を介して負荷に出力する電流の電流値を電流値計側手段により計測し、配線を介して負荷に出力する電圧の電圧値を電圧値計測手段により計測し、入力手段により入力された直径と材質とに対応する単位抵抗値を単位抵抗値記憶手段から読み出し、その単位抵抗値を入力手段に入力された長さと乗算することにより配線の抵抗である配線抵抗を配線抵抗値算出手段により算出し、配線抵抗と電流値を乗算した値を電圧計測手段が計測した電圧値から減算した値である負荷入力電圧値を負荷入力電圧値算出手段により算出し、負荷入力電圧値算出手段が算出する電圧値が、負荷入力電圧最大設定値記憶手段が記憶する負荷入力電圧最大設定値となるように電圧制御手段により制御するようにした。
これにより、負荷の入力電圧を測定するための測定用配線を敷設しなくても、負荷が入力可能な最大の電圧値である負荷入力電圧最大設定値の電力を、電力供給装置から負荷に対して供給することができる。
【発明を実施するための最良の形態】
【００１０】
以下、図面を参照し、本発明の実施形態について説明する。
図１は、本発明の実施形態による電力供給装置１０の構成を示すブロック図である。電力供給装置１０は、入力部１１（入力手段）、電力変換部１２（電圧制御手段）、制御部１３、記憶部１４（単位抵抗値記憶手段、負荷入力電圧最大設定値記憶手段、負荷入力電圧値算出手段）、計算部１５（配線抵抗値算出手段）、電圧検出部１６（電圧値計測手段）、電流検出部１７、電流値計測部１８ａ、１８ｂ（電流値計側手段）を備えている。
電力供給装置１０の入力端子ｐ４１及びｐ４２には電源３０が接続されている。また、電力供給装置１０の出力端子ｐ４３及びｐ４４には負荷２１が接続されており、出力端子ｐ４５及びｐ４６には負荷２２が接続されている。
【００１１】
入力部１１は、キーボードなどの入力機器であり、制御部１３に接続されている。入力部１１には、電力供給装置１０の管理者等の操作に基づいて、配線ｈ１１と配線ｈ２１の直径と材質と長さの情報である配線情報が入力される。配線ｈ１１と配線ｈ１２は１セットになっており、配線ｈ１２の直径と材質と長さは配線ｈ１１と同じである。また、
配線ｈ２１と配線ｈ２２は１セットになっており、配線ｈ２２の直径と材質と長さは配線ｈ２１と同じである。
配線ｈ１１は、電力変換部１２の出力端子ｐ１１と、負荷２１の入力端子ｐ２１とを接続している。配線ｈ１２は、電力変換部１２の出力端子ｐ１２と、負荷２１の入力端子ｐ２２とを接続している。配線ｈ１１の長さと配線ｈ１２の長さは同じであり、Ｌ１である。
配線ｈ２１は、電力変換部１２の出力端子ｐ１１と、負荷２２の入力端子ｐ３１とを接続している。配線ｈ２２は、電力変換部１２の出力端子ｐ１２と、負荷２２の入力端子ｐ３２とを接続している。配線ｈ２１の長さと配線ｈ２２の長さとは同じであり、Ｌ２である。
【００１２】
電力変換部１２は、電力供給装置１０の入力端子ｐ４１及びｐ４２と出力端子ｐ４３及びｐ４４、出力端子ｐ４５及びｐ４６に接続されている。また、電力変換部１２は、制御部１３に接続されている。電力変換部１２は、商用電源などである電源３０から電力の供給を受け、制御部１３の制御に基づいて電圧を変化させて、負荷２１や負荷２２に出力する。
制御部１３は、入力部１１と電力変換部１２と記憶部１４と計算部１５とに接続されている。制御部１３は、計算部１５で計算される負荷入力端電圧ＶＬＩが、負荷入力電圧最大設定値ＶＨＩとなるように、電力変換部１２の出力端子ｐ１１と出力端子ｐ１２間の電圧ＶＯを制御する。
負荷入力電圧最大設定値ＶＨＩは、負荷が入力可能な最大の電圧値をいう。ここでは、負荷２１の負荷入力端電圧ＶＬＩをＶＬＩ１とし、負荷２２の負荷入力端電圧ＶＬＩをＶＬＩ２とする。また、負荷２１の負荷入力電圧最大設定値ＶＨＩをＶＨＩ１とし、負荷２２の負荷入力電圧最大設定値ＶＨＩをＶＨＩ２とする。
【００１３】
記憶部１４は、制御部１３と計算部１５とに接続されている。記憶部１４は、各種の配線の直径と材質とに応じた単位長さあたりの抵抗値である単位抵抗値を、単位抵抗値記憶テーブル（後述する図２参照）として記憶する。また、記憶部１４は、電力供給装置１０が電力を供給する負荷２１及び負荷２２の負荷入力電圧最大設定値を、負荷入力電圧最大設定値記憶テーブルｔ２（後述する図３参照）として記憶する。なお、負荷入力電圧最大設定値とは、負荷に入力可能な最大の電圧値をいう。
【００１４】
図２は、本発明の実施形態による記憶部１４が記憶する単位抵抗値記憶テーブルｔ１の一例を示す図である。単位抵抗値記憶テーブルｔ１には、配線識別番号（０００１など）、配線の材質（Ｍ１など）、配線の直径（Φ１（ｍｍ）など）、配線の単位長さあたりの抵抗値である単位抵抗値（ｒＬ１（Ω／ｋｍ）など）が対応付けて記録されている。この単位抵抗値記憶テーブルｔ１を用いることにより、配線の材質と直径とが分かれば、その配線の単位抵抗値を求めることができる。
【００１５】
図３は、本発明の実施形態による記憶部１４が記憶する負荷入力電圧最大設定値記憶テーブルｔ２の一例を示す図である。負荷入力電圧最大設定値記憶テーブルｔ２には、各負荷における負荷入力電圧最大設定値が記録される。ここでは、負荷２１における負荷入力電圧最大設定値としてＶ２１が記録されており、負荷２２における負荷入力電圧最大設定値としてＶ２２が記録されている。
【００１６】
計算部１５は、制御部１３と記憶部１４と電圧検出部１６とに接続されている。計算部１５は、入力部１１に入力され制御部１３から出力される配線ｈ１１及びｈ１２の材質Ｍ１と直径Φ１に対応する単位抵抗値ｒＬ１を、記憶部１４の単位抵抗値記憶テーブルｔ１から読み出す。
また、計算部１５は、入力部１１に入力され制御部１３から出力される配線ｈ２１及び配線ｈ２２の材質Ｍ２と直径Φ２に対応した単位抵抗値ｒＬ２を、記憶部１４の単位抵抗値記憶テーブルｔ１から読み出す。
【００１７】
また、計算部１５は、入力部１１に入力され制御部１３から出力される配線ｈ１１及びｈ１２の長さＬ１と、単位抵抗値ｒＬ１とに基づいて、配線ｈ１１及び配線ｈ１２の抵抗値ＲＬ１（＝ｒＬ１×Ｌ１）を算出する。
また、計算部１５は、入力部１１に入力され制御部１３から出力される配線ｈ２１及びｈ２２の長さＬ２と、単位抵抗値ｒＬ２とに基づいて、配線ｈ２１及び配線ｈ２２の抵抗値ＲＬ２（＝ｒＬ２×Ｌ２）を算出する。
【００１８】
また、計算部１５は、電圧検出部１６から出力される電圧ＶＯと、電流検出部１７から出力される電流ＩＬ１と、抵抗値ＲＬ１とに基づいて、負荷入力端電圧ＶＬＩ１（＝ＶＯ−ＲＬ１×ＩＬ１）を計算する。
また、計算部１５は、電圧検出部１６から出力される電圧ＶＯと、電流検出部１７から出力される電流ＩＬ２と、抵抗値ＲＬ２とに基づいて、負荷入力端電圧ＶＬＩ２（＝ＶＯ−ＲＬ２×ＩＬ２）を計算する。
【００１９】
電圧検出部１６は、計算部１５に接続されている。電圧検出部１６は、電力変換部１２の端子ｐ１１と端子ｐ１２との間の電圧ＶＯを計測し、計算部１５に出力する。
電流検出部１７は、計算部１５に接続されている。電流検出部１７は、電流値計測部１８ａが計測する配線ｈ１１を流れる電流の電流値ＩＬ１を計測し、計算部１５に出力する。また、電流検出部１７は、電流値計測部１８ｂが計測する配線ｈ２１を流れる電流の電流値ＩＬ２を計測し、計算部１５に出力する。
電流値計測部１８ａ、１８ｂは、それぞれ配線ｈ１１、ｈ２１に流れる電流を計測する素子であり、例えば、シャント抵抗やホールＣＴ（Current. Transformer）素子などである。なお、ここでは、配線ｈ１１に電流値計測部１８ａを接続し、配線ｈ２１に電流値計測部１８ｂを接続しているが、これに限定されるものではない。例えば、電流値計測部１８ｂを設置せずに、電力変換部１２が出力する電流の電流値から、電流計測部１８ａが計測する電流値を減算することにより、配線ｈ２１に流れる電流の電流値を求めてもよい。
【００２０】
図４は、本発明の実施形態による電力供給装置１０の処理を示すフローチャートである。なお、負荷２２についての処理は、負荷２１についての処理と同じであるので、図４では負荷２２についての説明を省略する。
始めに、記憶部１４に負荷入力電圧最大設定値記憶テーブルｔ２（図３）を予め記録する（ステップＳ０１）。また、記憶部１４に、負荷２１に入力可能な最大の電圧値である負荷入力電圧最大設定値ＶＨＩ１を記録する（ステップＳ０１）。負荷入力電圧最大設定値記憶テーブルｔ２は、入力部１１から入力され、制御部１３によって記憶部１４に記録される。
【００２１】
なお、図３では、負荷入力電圧最大設定値記憶テーブルｔ２に各負荷における負荷入力電圧最大設定値を記録する場合について説明しているが、これに限定されるものではない。例えば、負荷入力電圧最大設定値記憶テーブルｔ２に各負荷における負荷入力電圧最大設定値とともに、各負荷における負荷入力電圧範囲（下限電圧、定格電圧、上限電圧）の情報を記録してもよい。
【００２２】
また、記憶部１４に単位抵抗値記憶テーブルｔ１（図２）を予め記録する（ステップＳ０２）。単位抵抗値記憶テーブルｔ１は、入力部１１から入力され、制御部１３によって記憶部１４に記録される。
【００２３】
入力部１１には、管理者等によって、配線ｈ１１の材質Ｍ１、直径Φ１、長さＬ１が配線情報として入力される（ステップＳ０３）。計算部１５は、ステップＳ０３で入力された材質Ｍ１及び直径Φ１に対応する単位抵抗値ｒＬ１を、単位抵抗値記憶テーブルｔ１から読み出す。
計算部１５は、単位抵抗値ｒＬ１と、ステップＳ０３で入力された長さＬ１とを乗算することにより、配線ｈ１１及びｈ１２の抵抗値ＲＬ１（＝ｒＬ１×Ｌ１）を計算する（ステップＳ０４）。
【００２４】
そして、電流検出部１７は、配線ｈ１１を流れる電流の電流値ＩＬ１を計測し（ステップＳ０５）、計算部１５に出力する。
計算部１５は、ステップＳ０４で計算した抵抗値ＲＬ１と、ステップＳ０５で計測した電流値ＩＬ１とを乗算することにより、配線ｈ１１における電圧降下値ＲＬ１×ＩＬ１を計算する（ステップＳ０６）。
電圧検出部１６は、電力変換部１２の出力端子ｐ１１と出力端子ｐ１２間の電圧である出力電圧ＶＯを計測し（ステップＳ０７）、計算部１５に出力する。
【００２５】
そして、計算部１４は、ステップＳ０６で計測した出力電圧ＶＯから、ステップＳ０６で計算した電圧降下値ＲＬ１×ＩＬ１を減算することにより、負荷入力端電圧ＶＬＩ１（＝ＶＯ−ＲＬ１×ＩＬ１）を計算する（ステップＳ０８）。
制御部１３は、ステップＳ０８で計算した負荷入力端電圧ＶＬＩ１が、ステップＳ０１で記録部１４に記録した負荷入力電圧最大設定値ＶＨＩ１と等しいか否かについて判定する（ステップＳ０９）。負荷入力端電圧ＶＬＩ１が負荷入力電圧最大設定値ＶＨＩ１と等しい場合には、ステップＳ０９で「ＹＥＳ」と判定し、図４のフローチャートの処理を終了する。一方、負荷入力端電圧ＶＬＩ１が負荷入力電圧最大設定値ＶＨＩ１と等しくない場合には、ステップＳ０９で「ＮＯ」と判定し、制御部１３は電力変換部１２を制御することにより、負荷入力端電圧ＶＬＩ１（＝ＶＯ−ＲＬ１×ＩＬ１）が負荷入力電圧最大設定値ＶＨＩ１と等しくなるように出力電圧ＶＯを調整する（ステップＳ１０）。
【００２６】
なお、電力供給装置１０に負荷が複数接続されている場合には、図７のステップＳ１０において制御部１３は、複数の負荷における負荷入力電圧最大設定値（ＶＨＩ１、ＶＨＩ１、・・・）のうち、最も小さい負荷入力電圧最大設定値が負荷入力端電圧と等しくなるように出力電圧ＶＯを調整する。このように調整を行うことにより、複数の負荷の一部に対して、負荷入力電圧最大設定値を超える負荷入力端電圧が供給されることを防ぐことができる。
【００２７】
上述した本発明の実施形態による電力供給装置１０を用いれば、負荷の入力電圧を測定するための測定用配線を敷設しなくても、負荷が入力可能な最大の電圧値である負荷入力電圧最大設定値の電力を、電力供給装置１０から負荷に対して供給することができる。
また、電力供給装置１０と負荷との間に測定用配線を敷設する必要がないため、測定用配線が切断することによって電力供給装置１０から負荷に対して適切な電力を供給できなくなることを防ぐことができる。
また、負荷入力電圧最大設定値以上の高い電圧を用いて、電力供給装置１０から負荷に対して電力を供給するため、電力供給装置１０と負荷との間の配線における電力損失を低減することができる。
【００２８】
なお、上述した本発明の実施形態の説明（図１参照）では、電力供給装置１０に負荷を２つ（負荷２１及び負荷２２）接続する場合について説明したが、このような構成に限定されるものではなく、電力供給装置１０に負荷を３つ以上接続するようにしてもよい。
【００２９】
なお、以上説明した実施形態において、制御部１３の機能を実現するためのプログラムをコンピュータ読み取り可能な記録媒体に記録して、この記録媒体に記録されたプログラムをコンピュータシステムに読み込ませ、実行することにより電力供給装置１０の制御を行ってもよい。なお、ここでいう「コンピュータシステム」とは、ＯＳや周辺機器等のハードウェアを含むものとする。
【００３０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３１】
【図１】本発明の実施形態による電力供給装置１０の構成を示すブロック図である。
【図２】本発明の実施形態による記憶部１４が記憶する単位抵抗値記憶テーブルｔ１の一例を示す図である。
【図３】本発明の実施形態による記憶部１４が記憶する負荷入力電圧最大設定値記憶テーブルｔ２の一例を示す図である。
【図４】本発明の実施形態による電力供給装置１０の処理を示すフローチャートである。
【符号の説明】
【００３２】
１０・・・電力供給装置、１１・・・入力部、１２・・・電力変換部、１３・・・制御部、１４・・・記憶部、１５・・・計算部、１６・・・電圧検出部、１７・・・電流検出部、１８ａ、１８ｂ・・・電流値計測部、２１、２２・・・負荷、３０・・・電源
【図１】
2008015923.tif 000003
【図２】
2008015923.tif 000004
【図３】
2008015923.tif 000005
【図４】
2008015923.tif 000006